(57)【要約】【課題】廃棄対象のライトアットワンスの光ディスクメディアをセキュリティ上の問題を有することなく廃棄するために、熱効率が高くて、必要な箇所に必要な熱量を加えることができ、直接的にディスクを破壊して再生の可能性を無くし、金属層や色素層などのデータを完全に破壊する光ディスクメディアのデータ消去方法並びにデータ消去装置を提供する。【解決手段】光ディスクメディア内の記録層にハロゲンやキセノン等を光源とした光ビームを集光するステップと、前記光ビームスポットにより前記記録層を加熱するステップと、前記光ビームスポットを前記光ディスクメディアの内周部から外周部へ移動させながら照射するステップと、前記光ディスクメディアをランダムに変形させるステップとにより、前記記録層を破壊することで、前記光ディスクメディアをそのデータの読みとりが不可能な状態にする。【選択図】図１
2008243242.tif 000002
【特許請求の範囲】
【請求項１】
光ディスクメディア内の記録層にハロゲンやキセノン等を光源とした光ビームを集光するステップと、
前記光ビームスポットにより前記記録層を加熱するステップと、
前記光ビームスポットを前記光ディスクメディアの内周部から外周部へ移動させながら照射するステップと、
前記光ディスクメディアをランダムに変形させるステップとにより、
周囲の環境や人体に影響を与える可能性がある光ディスクメディアの金属片や前記記録層の色素を飛散させることなく、前記記録層を破壊することで、前記光ディスクメディアをそのデータの読みとりが不可能な状態にする光ディスクメディアのデータ消去方法。
【請求項２】
前記光ディスクメディアのランダム変形により前記光ディスクメディアが再生装置に挿入できない程度に厚み方向に変形させることを特徴とする請求項１記載の光ディスクメディアのデータ消去方法。
【請求項３】
前記光ディスクメディアのランダム変形により非照射光ディスクメディアと対比して明らかに見分けることができる程度に前記光ディスクメディアを変形させる請求項１記載の光ディスクメディアのデータ消去方法。
【請求項４】
前記光ディスクメディアを構成する金属層を破壊させて、金属層に隣接する樹脂層を発泡させて前記光ディスクメディアをそのデータの読みとりが不可能な状態にする請求項１記載の光ディスクメディアのデータ消去方法。
【請求項５】
前記光ビームスポットの移動は、前記光ディスクメディアの内周部から外周部方向と外周部から内周部方向に向けて行い、前記光ディスクメディアを回転させることで全周にわたって周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にする請求項１記載の光ディスクメディアのデータ消去方法。
【請求項６】
前記光ビームスポットの移動は、前記光ディスクメディアの内周部から外周部方向と外周部から内周部方向に向けて行い、前記光ディスクメディアを回転させることで全周の一部を周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にする請求項１記載の光ディスクメディアのデータ消去方法。
【請求項７】
前記光ビームスポットを前記光ディスクメディアの内周部から外周部に向かって半径方向に移動させながら照射する際に、少なくとも１箇所は半径方向に存在する全データ領域に渡って照射されることを特徴とする請求項１記載の光ディスクメディアのデータ消去方法。
【請求項８】
前記光ビームスポットを前記光ディスクメディアの内周部から外周部に向かって半径方向に移動させながら照射する際に、全周に対する照射領域の割合は前記光ディスクに記録されたデータを誤り訂正フラグで再生不能となる程度以上に照射されることを特徴とする請求項１記載の光ディスクメディアのデータ消去方法。
【請求項９】
前記光ビームスポットを前記光ディスクメディアの内周部から外周部に向かって半径方向に移動させながら照射する際に、前記光ビームスポットは前回照射領域と今回照射領域が重なるようにスキャンすることを特徴とする請求項１記載の光ディスクメディアのデータ消去方法。
【請求項１０】
前記光ビームスポットを前記光ディスクメディアの内周部から外周部に向かって半径方向に移動させながら照射する際に、照射速度が一定であることを特徴とする請求項１記載の光ディスクメディアのデータ消去方法。
【請求項１１】
光ディスクメディア内の記録層にハロゲンやキセノン等を光源とした光ビームを集光する光ビームスポット部と、
前記光ビームスポットにより前記記録層を加熱する光ビーム出力制御部と、
前記光ビームスポットを前記光ディスクメディアの内周部から外周部へ移動させながら照射する光ビーム駆動制御部とを有し、
前記光ディスクメディアをランダムに変形させて、
周囲の環境や人体に影響を与える可能性がある光ディスクメディアの金属片や前記記録層の色素を飛散させることなく、
前記記録層を破壊することにより、前記光ディスクメディアをそのデータの読みとりが不可能な状態にする光ディスクメディアのデータ消去装置。
【請求項１２】
前記光ディスクメディアのランダム変形により前記光ディスクメディアが再生装置に挿入できない程度に厚み方向に変形させることを特徴とする請求項１１記載の光ディスクメディアのデータ消去装置。
【請求項１３】
前記光ディスクメディアのランダム変形により非照射光ディスクメディアと対比して明らかに見分けることができる程度に前記光ディスクメディアを変形させる請求項１１記載の光ディスクメディアのデータ消去装置。
【請求項１４】
前記光ディスクメディアを構成する金属層を破壊させて、または金属層に隣接する樹脂層を発泡させて、または金属層を破壊させて且つ金属層に隣接する樹脂層を発泡させて前記光ディスクメディアをそのデータの読みとりが不可能な状態にする請求項１１記載の光ディスクメディアのデータ消去装置。
【請求項１５】
前記光ビームスポットの移動は、前記光ディスクメディアの内周部から外周部方向と外周部から内周部方向に向けて行い、前記光ディスクメディアを回転させることで全周にわたって周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にする請求項１１記載の光ディスクメディアのデータ消去装置。
【請求項１６】
前記光ビームスポットの移動は、前記光ディスクメディアの内周部から外周部方向と外周部から内周部方向に向けて行い、前記光ディスクメディアを回転させることで全周の一部を周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にする請求項１１記載の光ディスクメディアのデータ消去装置。
【発明の詳細な説明】
【技術分野】
【０００１】
本発明は、いわゆる廃棄対象のライトアットワンス（多層タイプも含む）並びにＣＤ−ＲＷ，ＤＶＤ±ＲＷや通常のデータＣＤ，ＤＶＤ，音楽ＣＤ，映像ＤＶＤ，次世代ＤＶＤ（Ｂｌｕ−ｌａｙやＨＤ  ＤＶＤ等）等の光ディスクメディアを情報的並びに物理的に破壊して再利用の可能性を否定して処分するための光ディスクメディアのデータ消去方法並びにデータ消去装置の提供に関する。
【背景技術】
【０００２】
現在、ライトアットワンスの光ディスクメディアとしては、ＣＤ−Ｒ（Ｃｏｍｐａｃｔ  Ｄｉｓｃ  Ｒｅｃｏｒｄａｂｌｅ）や、ＤＶＤ−Ｒ（Ｄｉｇｉｔａｌ  Ｖｅｒｓａｔｉｌｅ  Ｄｉｓｃ  Ｒｅｃｏｒｄａｂｌｅ）さらには次世代の光ディスクメディアであるＢＤ−Ｒ（Ｂｌｕ−ｒａｙ  Ｄｉｓｃ  Ｒｅｃｏｒｄａｂｌｅ）およびＨＤ  ＤＶＤ−Ｒ（Ｈｉｇｈ−Ｄｅｆｉｎｉｔｉｏｎ  ＤＶＤ−Ｒ）が提案されている。
【０００３】
これらのライトアットワンスの光ディスクメディアをデータ消去する場合は、カッター等の鋭利な刃を有する刃物で記録層を破損させる手法や、シュレッダー等によりメディアを裁断することが一般的であった。この場合、記録層を構成する金属片や有害物質を含む色素が飛散し、環境や人体に影響を与える可能性があった。
【０００４】
また、破損や裁断のみでは、裁断された記録層をつなぎ合わせることでデータ部を読み取ることができるという、セキュリティ上の課題を有していた。
【０００５】
さらに、別の方法として、管理領域並びにデータ格納領域へデータを上書きして、光ディスクメディアの認識不可状態やデータを読みとり不可状態等を発生させていた。しかし、この場合はデータを消去したメディアの形状に変化がないため、消去済みかどうかを記録層の色の変化を目で見る必要があるが、記録層の材質によっては色の変化が乏しく、消去済みかどうか目視での判断がつかないという課題を有していた。
【０００６】
ところで、ＣＤ−Ｒはレーザが照射される側から、ポリカーボネート層、記録層である有機色素層と金属層、保護膜層、印刷ラベル層という順序で形成されているため、別な方法として従来ＣＤ−Ｒのラベル面（記録層が近い側）に熱を加えて、ＣＤ−Ｒメディアのデータ消去が行われていた。
【０００７】
しかし、ＤＶＤ±Ｒ，次世代ＤＶＤ−Ｒ等の比較的新しいメディアでは、記録層が２枚のポリカーボネート層の中間に位置するため、表面から内部に熱が伝わらず、消去できないという課題を有していた。
【０００８】
また、ＤＶＤ±Ｒ（Ｄｉｇｉｔａｌ  Ｖｅｒｓａｔｉｌｅ  Ｄｉｓｃ  ｐｌｕｓＲ、Ｄｉｇｉｔａｌ  Ｖｅｒｓａｔｉｌｅ  Ｄｉｓｃ  Ｒｅｃｏｒｄａｂｌｅ）等では媒体表面に傷を付けて破壊する方式では記録層がポリカーボネート層で保護されているため傷ついた部分を研磨することでデータの読み出しが可能となる課題があった。
【０００９】
これに対して、既に幾つか提案がなされており、例えば特許文献１では、光ディスクを通常の記録方向へＣＬＶ（Ｃｏｎｓｔａｎｔ  Ｌｉｎｅａｒ  Ｖｅｌｏｃｉｔｙ：線速度一定）で回転させたうえ光で加熱を行う方式を主張している。
【００１０】
また、特許文献２では、レーザを照射することで新たなピット（情報）を作成し従前のデータを覆い隠すことで既存データの読み取りを困難にする技術が開示されている。さらに、未記録エリアに新たなピット（情報）を作成することでディスク自体を使用不能にする技術も開示されている。
【００１１】
加えて、特許文献３では、ＣＤ−Ｒの印刷ラベル面に上面から摂氏８０度乃至１５０度の熱を加えて、データピットの周辺に熱変化を起こさせる技術が開示されている。
【００１２】
【特許文献１】特開２０００−２２２７４１号公報
【特許文献２】特開２００２−３０４７３６号公報
【特許文献３】特開平１０−２１４４２４号公報
【発明の開示】
【発明が解決しようとする課題】
【００１３】
しかしながら、特許文献１はＣＬＶを採用しているために、先ずディスクの内周部分と外周部分の円周長の違いを吸収させる仕組みがさらに必要となる。次に、加熱中はディスクが常に回転しているため加熱点が冷却されやすく、記録層を破壊する為にはその冷却されるエネルギーを上回る大きなエネルギーが必要であり、熱効率が悪いことが判明している。さらに、記録層を破壊するのに十分なエネルギーを与えると回転しているディスク全周に熱がたまり、特に内周部分では円周が短く回転数が上がるので、ディスクの基盤をなすポリカーボネートは耐熱温度約１５０℃であるが高温のため軟化し、重力によって全周変形を起こしてしまい、危険な状態になることがある。すなわち、変形により全体として垂れ下がり、メカニズムに深刻なダメージを与えてしまうこととなる。従って、このような熱効率の悪化が見られず熱効率の良いシステムが必要となる。
【００１４】
また、特許文献２では、直接的にディスクを破壊しておらず、記録層の色素物質やディスク基盤そのものが破壊されていない。このために、何らかの形で再生される可能性がぬぐえないという課題を有している。
【００１５】
さらに、特許文献３では、８０〜１５０℃というのはディスク基盤のポリカーボネートの耐熱温度である。このため、３００〜４００℃が必要な記録層の色素にはダメージを与えられない温度である。また、当該技術においてはＣＤ−Ｒには有効であるがＤＶＤ±Ｒにおいては色素が媒体の厚み方向中心に位置しているためダメージを与えることができない可能性が高い。
【００１６】
そこで、本発明の目的は、廃棄対象のライトアットワンスの光ディスクメディアをセキュリティ上の問題を有することなく廃棄するために、熱効率が高くて、必要な箇所に必要な熱量を加えることができ、直接的にディスクを破壊して再生の可能性を無くし、金属層や色素層などのデータを完全に破壊する光ディスクメディアのデータ消去方法並びにデータ消去装置を提供することを目的とする。
【課題を解決するための手段】
【００１７】
上記の課題を解決すべく本発明に係る光ディスクメディアのデータ消去方法は、光ディスクメディア内の記録層に光ビームスポットを照射するステップと、前記光ビームスポットにより前記記録層を加熱するステップと、前記光ビームスポットを前記光ディスクメディアの内周部から外周部へ移動させながら照射するステップと、前記光ディスクメディアをランダムに変形させるステップとにより、周囲の環境や人体に影響を与える可能性がある光ディスクメディアの金属片や前記記録層の色素を飛散させることなく、前記記録層を破壊することで、前記光ディスクメディアをそのデータの読みとりが不可能な状態にすることを特徴とする。
【００１８】
また、前記光ディスクメディアのランダム変形により前記光ディスクメディアが再生装置に挿入できない程度に厚み方向に変形させてもよい。
【００１９】
さらに、前記光ディスクメディアのランダム変形により非照射光ディスクメディアと対比して明らかに見分けることができる程度に前記光ディスクメディアを変形させてもよい。
【００２０】
加えて、前記光ディスクメディアを構成する金属層を破壊させて、金属層に隣接する樹脂層を発泡させて前記光ディスクメディアをそのデータの読みとりが不可能な状態にしてもよい。
【００２１】
続いて、前記光ビームスポットの移動は、前記光ディスクメディアの内周部から外周部方向と外周部から内周部方向に向けて行い、前記光ディスクメディアを回転させることで全周にわたって周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にしてもよい。
【００２２】
次に、前記光ビームスポットの移動は、前記光ディスクメディアの内周部から外周部方向と外周部から内周部方向に向けて行い、前記光ディスクメディアを回転させることで全周の一部を周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にしてもよい。
【００２３】
続いて、前記光ビームスポットを前記光ディスクメディアの内周部から外周部に向かって半径方向に移動させながら照射する際に、少なくとも１箇所は半径方向に存在する全データ領域に渡って照射されてもよい。
【００２４】
加えて、前記光ビームスポットを前記光ディスクメディアの内周部から外周部に向かって半径方向に移動させながら照射する際に、全周に対する照射領域の割合は前記光ディスクに記録されたデータを誤り訂正フラグで再生不能となる程度以上に照射されてもよい。
【００２５】
また、上記の課題を解決すべく本発明に係る光ディスクメディアのデータ消去装置は、光ディスクメディア内の記録層にハロゲンやキセノン等を光源とした光ビームを集光する光ビームスポット部と、前記光ビームスポットにより前記記録層を加熱する光ビーム出力制御部と、前記光ビームスポットを前記光ディスクメディアの内周部から外周部へ移動させながら照射する光ビーム駆動制御部とを有し、前記光ディスクメディアをランダムに変形させて、周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にしてもよい。
【００２６】
さらに、前記光ディスクメディアのランダム変形により前記光ディスクメディアが再生装置に挿入できない程度に厚み方向に変形させてもよい。
【００２７】
加えて、前記光ディスクメディアのランダム変形により非照射光ディスクメディアと対比して明らかに見分けることができる程度に前記光ディスクメディアを変形させてもよい。
【００２８】
続いて、前記光ディスクメディアを構成する金属層を破壊させて、または金属層に隣接する樹脂層を発泡させて、または金属層を破壊させて且つ金属層に隣接する樹脂層を発泡させて前記光ディスクメディアをそのデータの読みとりが不可能な状態にしてもよい。
【００２９】
次に、前記光ビームスポットの移動は、前記光ディスクメディアの内周部から外周部方向と外周部から内周部方向に向けて行い、前記光ディスクメディアを回転させることで全周にわたって周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にしてもよい。
【００３０】
また、前記光ビームスポットの移動は、前記光ディスクメディアの内周部から外周部方向と外周部から内周部方向に向けて行い、前記光ディスクメディアを回転させることで全周の一部を周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にしてもよい。
【発明の効果】
【００３１】
本発明に係る光ディスクメディアのデータ消去方法を採用することで、光ビームスポットにより光ディスクメディア内データ格納領域の記録層に焦点を合わせて熱を加える方法を用い、環境や人体に影響を与える可能性がある金属片や記録層の色素を飛散させることなく、記録層を破壊することにより、データの読みとりが不可能な状態にする。
【００３２】
また、光ビームスポットにより光ディスクメディア内データ格納領域の記録層に焦点を合わせて熱を加える方法を用い、記録層を破壊すると同時にその熱を利用してポリカーボネート層を主とするメディア自体をランダムに変形させることにより、光ディスクドライブへ投入できない状態とすることと同時に消去済みかどうかの判別が容易にできる。
【００３３】
さらに、光ビームスポットにより光ディスクメディア内データ格納領域の記録層（ＣＤ／ＤＶＤ／次世代ＤＶＤ（ＨＤ  ＤＶＤやＢｌｕ−ｌａｙ等）／ＣＤ−ＲＷ／ＤＶＤ±ＲＷの場合は金属層，ライトアットワンスの場合は色素層）に焦点を合わせて熱を加える方法を用い、記録層自体を破壊、並びにポリカーボネート層に気泡を生じさせ、また、ポリカーボネート層を主とするメディア自体をランダムに変形させることにより、データの読み取り不可能な状態とし、また光ディスクドライブへの投入もできない状態とすることが出来る。
【００３４】
加えて、本方法はＣＬＶではないため回転時の線速度を制御する必要が無く、回転時の内周部の蓄熱による弊害が生じない。
【００３５】
さらに、本方法は前記光ビームスポットを前記光ディスクメディアの内周部から外周部に向かって半径方向に移動させながら照射する際に、前記光ビームスポットは前回照射領域と今回照射領域が重なるようにスキャンすることにより、熱の拡散が少ないという効果を有する。
【００３６】
加えて、本方法は前記光ビームスポットを前記光ディスクメディアの内周部から外周部に向かって半径方向に移動させながら照射する際には、光ディスクを回転させないため、ディスクへの反対側の熱の拡散が起こりにくい。
【発明を実施するための最良の形態】
【００３７】
以下本発明の実施の形態について複数の実施例を用いて以下に説明する。
【００３８】
なお、本発明は、上記の実施の形態に限定されず、本発明の技術思想の範囲内において、実施の形態が適宜変更され得るものである。
【実施例】
【００３９】
次に、本発明の実施例の構成について図面を参照して詳細に説明する。図１を参照すると、本実施例である光ビームスポットを使用した光ディスクメディア  データ消去装置１０は、次の１７ブロックである光ビームスポット部１００とメディア投入口１０１とメディア格納部１０２とメディア回転部１０３とメディア回転制御部１０４と光ビーム出力制御部１０５と光ビーム駆動部１０６と位置センサ部１０７と光ビーム駆動制御部１０８とＣＰＵ１０９とメモリ部１１０と動作モードＤＢ１１１とスタートＳＷ１１２と動作モード選択ＳＷ１１３と動作モード表示部１１４と電源部１１５と温度センサ部１１６とにより構成されており全てが同一の筐体１２（図示せず）内に配置される。
【００４０】
これらは、ＣＰＵ１０９を中心として、メディア投入口１０１がメディア格納部１０２と電気的に結合し、メディア格納部１０２はメディア回転部１０３と電気的に結合し、メディア回転部１０３はメディア回転制御部１０４に電気的に結合し、メディア回転制御部１０４はＣＰＵ１０９と電気的に結合する。
【００４１】
さらに、光ビームスポット部１００は光ビーム出力制御部１０５と電気的に結合し、光ビーム出力制御部１０５は光ビーム駆動部１０６と電気的に結合し、光ビーム駆動部１０６は位置センサ部１０７と電気的に結合し、位置センサ部１０７は光ビーム駆動制御部１０８と電気的に結合し、光ビーム駆動制御部１０８はＣＰＵ１０９と電気的に結合する。
【００４２】
さらに、ＣＰＵ１０９にはメモリ部１１０と温度センサ１１６が電気的に結合する。
【００４３】
一方、スタートＳＷ１１２は動作モード選択ＳＷ１１３と電気的に結合し、動作モード選択ＳＷ１１３は動作モード表示部１１４と電気的に結合し、動作モード表示部１１４は動作モードＤＢ１１１とＣＰＵ１０９とに電気的に結合する。電源部１１５は全てのブロックと接続されるとともにＡＣ電源と接続される。
【００４４】
以下に、光ディスクメディア  データ消去装置１０の作用について簡単に説明する。
【００４５】
光ビームスポットを使用した光ディスクメディア  データ消去装置１０は、光ディスクメディアが投入されると光ディスクメディアをメディア格納部１０２へ格納し、動作モード表示部１１４へ光ディスクメディアが投入されたことを表示する。
【００４６】
光ビームスポットを使用した光ディスクメディア  データ消去装置１０は、光ディスクメディアがメディア格納部１０２へ格納される。この状態において動作モードが設定されている状態でスタートＳＷ１１２が押下されると、選択された動作モードをＣＰＵ１０９が判別し、指定された動作モード（メディアの種別，消去モードの種類毎の動作パラメータに基づいて）で消去動作を実行する。
【００４７】
光ビームスポットを使用した光ディスクメディア  データ消去装置１０において、ＣＰＵ１０９は、完全消去モードが選択された場合、該当する光ディスクメディアの種類毎の動作モードＤＢ１１１内の光ビームスポット出力（一例として１２Ｖ）、並びに光ビーム駆動部動作速度（一例として６秒／エッジ間）、並びに最外周での回転角度（一例として８度）、並びに最内周での回転角度（一例として８度）、並びに光ディスクメディア表面温度（一例として、２５０度）を読み出して、メモリ部１１０に書込む。
【００４８】
その後にＣＰＵ１０９が光ビーム出力制御部１０５に出力開始信号を送出して、光ビームの出力を開始させる。
【００４９】
同時にＣＰＵ１０９は、温度センサ部１１６により、光ビーム駆動部１０６に追従して光ディスクメディア表面の温度を継続測定してメディア表面の温度を定期的に読み込んでメモリ部１１０に書込んで監視する。
【００５０】
ＣＰＵ１０９は、表面温度が予め設定した設定温度より高温になった場合は、光ビーム出力制御部１０５へ光ビームスポット部１００の出力を落とす出力削減信号を送信する。
【００５１】
逆にＣＰＵ１０９は、表面温度が予め設定した設定温度より低温となった場合は、光ビーム出力制御部１０５へ光ビームスポット部１００の出力を上げる出力増加信号を送信する。
【００５２】
ＣＰＵ１０９は、一定時間内（一例として１０秒以内）に表面温度を一定に保ちつつ、光ビーム駆動制御部１０８に光ビームスポット部１００を光ディスクメディアの最内周から最外周へ移動させる制御信号を送信する。ＣＰＵ１０９は、この移動後に光ディスクメディアを一定角回転させ、反対に光ビームスポット部１００が光ビームを照射しながら最外周から最内周に移動させる制御信号を光ビーム駆動制御部１０８に送信する。
【００５３】
ＣＰＵ１０９は、この移動後に光ディスクメディアを一定角回転させる制御信号をメディア回転制御部１０４に送信する。ＣＰＵ１０９は、これら一連の動作を繰り返し、光ディスクメディアを１回転するまで続けさせる制御信号をメディア回転制御部１０４と光ビーム出力制御部１０５と光ビーム駆動制御部１０８に送信する。
【００５４】
最後にＣＰＵ１０９は、光ビームスポット部１００の出力を停止する制御信号を光ビーム出力制御部１０５に送信する。この停止と同時に動作モード表示部１１４に結果を表示（一例として“完全消去完了”表示）する。
【００５５】
光ビームスポットを使用した光ディスクメディア  データ消去装置１０において、ＣＰＵ１０９は、簡易消去モードが選択された場合、該当する光ディスクメディアの種類毎の動作モードＤＢ１１１内の光ビームスポット出力（一例として１０Ｖ）ならびに光ビーム駆動部動作速度（一例として４．５秒／エッジ間）、並びに最外周での回転角度（一例として８度）、並びに最内周での回転角度（一例として５２度）を読み出して、メモリ部１１０に書込む。
【００５６】
その後にＣＰＵ１０９が光ビーム駆動部１０６に駆動開始信号を送出して、光ビームスポットの出力を開始させる。
【００５７】
ＣＰＵ１０９は、光ビーム駆動制御部１０８に光ビームスポット部１００を最内周から最外周へ移動させる制御信号を送信する。ＣＰＵ１０９は、この移動後に光ディスクメディアを一定角回転させる制御信号を光ビーム回転制御部１０４に送信することで光ディスクメディアを一定角回転させ、次に光ビームスポット部１００が光ビームを照射しながら最外周から最内周に移動させる制御信号を光ビーム駆動制御部１０８に送信する。
【００５８】
ＣＰＵ１０９は、この移動後に光ディスクメディアを一定角回転させる制御信号をメディア回転制御部１０４に送信する。ＣＰＵ１０９は、これら一連の動作を繰り返し、光ディスクメディアを１回転するまで続けさせる制御信号をメディア回転制御部１０４と光ビーム出力制御部１０５と光ビーム駆動制御部１０８に送信する。
【００５９】
最後にＣＰＵ１０９は、光ビームスポット部１００の出力を停止する制御信号を光ビーム出力制御部１０５に送信する。この停止と同時に動作モード表示部１１４に結果を表示（一例として“簡易消去完了”表示）する。
【００６０】
次に各構成要素ついて説明する。
【００６１】
光ビームスポット部１００は、高出力の光ビーム光源から発生した光を回転楕円曲面反射鏡等を用いて集光することで焦点位置に高熱のスポットを現出する、光ビームスポットヒーターである。光源としてハロゲンやキセノン等が用いられる。光ビームスポット部１００は光ディスクメディア内の記録層にハロゲンやキセノン等を光源とした光ビームを集光して温度を上昇させてこの記録層を破壊し、また、光ディスクメディア自体をランダムに変形させる際に使用される。
【００６２】
メディア投入口１０１は、筐体１２に開口される投入口である。光ディスクメディアをメディア格納部１０２へ格納またはメディア格納部１０２から排出される際に使用される。
【００６３】
メディア格納部１０２は、メディアを搭載して加工するためのメディア格納用トレイ並びにこのトレイを外部に移送してメディアを搭載して移動させるトレイ駆動部を備える。このメディア格納部１０２は、光ディスクメディアをメディア投入口１０１からドライブ内部へ格納する際に使用される。
【００６４】
メディア回転部１０３は、メディア回転制御部１０４により回転制御可能なステッピングモータ等のモータから構成される。メディア回転部１０３は、光ディスクメディアを回転させる際に使用される。
【００６５】
メディア回転制御部１０４は、メディア回転部１０３のモータの制御回路であり、回転角と角速度とが制御される。メディア回転部１０３が指定された角度まで回転できるよう制御する制御信号を発信する。
【００６６】
光ビーム出力制御部１０５は、光ビームスポット部１００を制御する制御回路である。さらに、光ビームスポットの出力制御やＯＮ／ＯＦＦの制御等を行う機能を有する。
【００６７】
光ビーム駆動部１０６は、光ビームスポット部１００並びに温度センサ部１１６を移動させる台車である。光ビーム駆動部１０６は、光ビーム駆動制御部１０８から指定された位置へ光ビームスポット部１００並びに温度センサ部１１６を移動する際に使用される。
【００６８】
位置センサ１０７は、光ビーム駆動部１０６の位置を確認するためのマイクロスイッチである。マイクロスイッチのＯＮ／ＯＦＦで光ビーム駆動部が指定位置に近接または離間したことを検出する。位置センサ１０７は、光ディスクメディアの最内周位置並びに最外周位置を検出する機能を備える。検出位置毎に複数のセンサが設けられる。
【００６９】
光ビーム駆動制御部１０８は、光ビーム駆動部１０６の制御回路である。光ビームの移動用のステッピングモータ等を制御し、位置センサ１０７からの信号に基づいて制御される。光ビーム駆動部１０６が指定された位置まで移動出来るよう制御を行う際に使用される。
【００７０】
ＣＰＵ１０９は、マイクロプロセッサ等で構成されている中央処理装置であり、メディア投入口１０１、メディア格納部１０２、メディア回転制御部１０４、光ビーム駆動制御部１０８、メモリ部１１０、動作モード表示部１１４、温度センサ部１１６等を制御する。
【００７１】
メモリ部１１０は、ＣＰＵ１０９が直接読み書きできるＲＡＭやＲＯＭなどの半導体記憶装置であり、完全消去や簡易消去時の動作パラメータや各制御部からの位置情報等の格納に使用される。
【００７２】
動作モードＤＢ１１１は、動作モード（光ディスクメディアの種類並びに消去モード）と各動作モードに必要なパラメータ（一例として、光ビームスポット出力，光ビーム駆動部動作速度，最内周並びに最外周での回転角度，メディア表面温度等）が関連付けしてデータベース化されており、各動作モードで動作を行う際にメモリ部１１０に格納される。そのデータ内容を表１に示す。
【００７３】
【表１】
2008243242.tif 000003
【００７４】
スタートＳＷ１１２は、押しボタン等を使用したスイッチであり、完全消去モード並びに簡易消去モード等の各動作モードを実行する際に使用される。動作モード選択ＳＷ１１３は、押しボタン等を使用したスイッチであり、動作モードを選択する際に使用する。
【００７５】
動作モード表示部１１４は、７セグメントＬＥＤや液晶ディスプレイ等の表示回路であり、スタートＳＷ１１２並びに動作モード選択ＳＷ１１３の状態を監視し、動作モード並びに動作結果を表示する際に使用する。
【００７６】
電源部１１５は、ＡＣ入力からＤＣへ変換するパワーサプライ等であり、各モジュールへＤＣ電源として電力を供給する。
【００７７】
温度センサ部１１６は、高温（一例として最大６００度）測定可能な温度センサであり、光ビーム駆動部１０６により、光ビーム出力位置の光ディスクメディア表面の温度を測定する際に使用する。
【００７８】
次に図１から５を用いて本発明の動作をさらに詳細に説明する。
【００７９】
まず、図２のフローチャートを用いて説明すると、光ビームスポットを使用した光ディスクメディア  データ消去装置１０は、操作者が動作モード選択ＳＷ１１３を操作すると、動作モード選択ＳＷ１１３の選択信号がＣＰＵ１０９に伝達される。ＣＰＵ１０９は、動作モードを示すデータを内蔵するレジスタ内に読み込むとともに新たな動作モード選択信号を動作モード表示部１１４に送信して新たな動作モードの表示を変更させる（ステップＡ１）。
【００８０】
動作モードの変更後、ＣＰＵ１０９はメディアの待受け状態となる。操作者によりメディア投入口１０１へ光ディスクメディアが投入されると、メディア検出センサが光ディスクメディアを検出して次工程へ進む（ステップＡ２  Ｙｅｓ）。光ディスクメディアが検出されない場合は、メディアの待受け状態を維持する（ステップＡ２  Ｎｏ）。
【００８１】
メディア格納部１０２は、光ディスクメディアをメディア格納部１０２へ格納し、メディア検出センサが光メディアを検出すると、検出信号を受けたＣＰＵ１０９が動作モード表示部１１４へ信号を送出して“準備完了”を表示させる（ステップＡ３）。
【００８２】
光ビームスポットを使用した光ディスクメディア  データ消去装置１０は、動作モードが選択され、光ディスクメディアがメディア格納部１０２へ格納された状態で、操作者によってスタートＳＷ１１２が押下される（ステップＡ４）。
【００８３】
続いて、動作モードの判別待ちうけ状態となる（ステップＡ５）。ＣＰＵ１０９によって動作モードの選択を待機する（ステップＡ６）。
【００８４】
スタートＳＷ１１２の押下信号を受けてステップＡ１で設定された光ディスクメディアの種類（ＤＶＤ±Ｒ，ＨＤ  ＤＶＤ−Ｒ，Ｂｌｕ−ｌａｙ−Ｒ，ＣＤ−Ｒ等）が設定されており、すなわち、ＤＶＤ±Ｒが選択された場合は、動作モードＤＢ１１１より該当する動作モードで必要な動作パラメータがメモリ部１１０に格納される（ステップＡ７）。ＤＶＤ±Ｒの他に、ＨＤ  ＤＶＤ−Ｒ，Ｂｌｕ−ｌａｙ−Ｒ，ＣＤ−Ｒ等も同様である。
【００８５】
次に消去モードの指示を待ちうけ状態となる（ステップＡ８）。
【００８６】
並びに消去モード（一例として完全消去モード，簡易消去モード）等の動作モード等の選択情報がＣＰＵ１０９によって識別される（ステップＡ９）。
【００８７】
ＣＰＵ１０９は、識別された前記パラメータにより動作モードＤＢ１１１から該当する動作モードで必要な動作パラメータと消去方法をメモリ部１１０へ格納し、該当する動作モードで消去動作を開始する（ステップＡ１０，ステップＢ１）。
【００８８】
より詳細に図３、４を用いて説明すると、図３に示す本発明に係る消去方法のフローチャートによれば、光ビームスポットを使用した光ディスクメディア  データ消去装置１０は、消去方法が完全消去モード（ステップＢ２，Ｂ３）であった場合、メモリ部１１０内に格納された動作パラメータを基に指定された電圧で光ビームスポット部１００の出力を開始する（ステップＢ４）。
【００８９】
光ビームスポットを使用した光ディスクメディア  データ消去装置１０は、光ビーム駆動部１０６により光ビームスポット部１００を光ディスクメディアの最内周位置から最外周へ、メモリ部１１０内に格納された移動速度（一例として１０秒／最内周−最外周間移動時間）で移動する（ステップＢ５）。移動速度を一定とすることで制御が単純で動作の安定性が向上する。また、最内周位置から最外周へ照射する場合は、半径方向に沿って半径全体を照射する必要がある。何故ならば、漏れがある場合は、破壊されないデータが生じる可能性があるからである。具体的には図４−（ａ）のように矢印方向に光ビームスポット部１００を照射する。
【００９０】
光ビームは光ディスクメディア内の記録層に集光される。集光に応じて温度も上昇させ、ひいてはランダムにメディアを変形させる。
【００９１】
光ビームスポットを使用した光ディスクメディア  データ消去装置１０において、光ビームスポット部１００より光ビームが出力されている間、ＣＰＵ１０９は温度センサ部１１６により、光ビーム駆動部１０６に追従して光ディスクメディア表面の温度を継続測定させて、メディア表面の温度を監視するためメモリ部１１０に格納する。ここで、表面温度があらかじめ設定した設定温度より高温になった場合は、ＣＰＵ１０９は光ビーム出力制御部１０５へ光ビームスポット部１００の出力を減少させる信号を発信し、逆に表面温度が低温となった場合は、ＣＰＵ１０９は光ビーム出力制御部１０５へ光ビームスポット部１００の出力を上げる信号を発信する。一定時間内（一例として１０秒以内）に表面温度を一定に保つ（ステップＢ６，ステップＢ７）。
【００９２】
光ビームスポットを使用した光ディスクメディア  データ消去装置１０において、一定時間内に光ディスクメディアの温度センサ部１１６の計測する温度が指定温度に戻らない場合、ＣＰＵ１０９は光ビーム出力制御部１０５へ光ビームの出力を停止する信号を送信し、最後に動作モード表示部１１４へ動作結果（一例として、“温度異常”）を表示する。その後に、光ディスクメディアをメディア格納部１０２によりメディア格納部１０２からメディア投入口１０１へ移動する（ステップＢ８）。
【００９３】
光ビームスポットを使用した光ディスクメディア  データ消去装置１０は、光ビームスポット部１００が、位置センサ１０７により光ディスクメディアの最外周位置へ移動を完了したことを検知すると（ステップＢ９）、メモリ部１１０内に格納された回転角度（一例として８度）分、光ディスクメディアを回転させる（ステップＢ１０）（動作の一例として図４−（ｂ）を参照）。
【００９４】
ここで、ビームスポットが最外周にある際の照射径よりやや小さい回転角度に設定することが好ましい。この回転角度とすることで光ディスクメディア全周を照射することができる。さらに、最外周にある際の照射径よりやや小さい回転角度に設定することでビームスポットを半径方向に移動させる際に先に照射した部分と一部が重なるように照射することができる。
【００９５】
光ビームスポットを使用した光ディスクメディア  データ消去装置１０は、次に光ビーム駆動部１０６により光ビームスポット部１００を光ディスクメディアの最外周位置から最内周へ、メモリ部１１０内に格納された移動速度で移動する（ステップＢ１１）（動作の一例として図４−（ｃ）を参照）。光ビームスポットを使用した光ディスクメディア  データ消去装置１０は、光ビームスポット部１００が、位置センサ１０７により光ディスクメディアの最内周位置へ移動を完了したことを検知すると（ステップＢ１２）、メモリ部１１０内に格納された回転角度（一例として完全消去モードでは８度）分、光ディスクメディアを回転させる（ステップＢ１３）（動作の一例として図４−（ｄ）を参照）。
【００９６】
光ビームスポットを使用した光ディスクメディア  データ消去装置１０は、完全消去モードの場合ステップＢ５からステップＢ１０をメディアが１回転するまで繰り返した後に（ステップＢ１４）、光ビームスポット部１００の出力を停止し、最後に動作モード表示部１１４へ動作結果（一例として、“完全消去完了”）を表示後に、光ディスクメディアをメディア格納部１０２によりメディア格納部１０２からメディア投入口１０１へ移動する（ステップＢ１５）（図５は、完全消去モードで消去時の光ディスクメディアの一例を示す）。
【００９７】
以上の構成により、周囲の環境や人体に影響を与える可能性がある光ディスクメディアの金属片や前記記録層の色素を飛散させることなく、前記記録層を破壊することにより、前記光ディスクメディアをそのデータの読みとりが不可能な状態にすることができる。
【００９８】
また、光ディスクメディアのランダム変形により前記光ディスクメディアが再生装置に挿入できない程度に厚み方向に変形させることが可能となり、変形済みのディスクを再変形する必要がない。
【００９９】
さらに、光ディスクメディアのランダム変形により非照射光ディスクメディアと対比して明らかに見分けるできる程度に前記光ディスクメディアを変形させることができるので、変形についての判定を行う必要がない。
【０１００】
加えて、光ディスクメディアを構成する金属層を破壊させて、金属層に隣接する樹脂層を発泡させて前記光ディスクメディアをそのデータの読みとりが不可能な状態にするために、光ディスクメディアの記録層を破壊するとともにポリカーボネート層で気泡が生じることで、確実に光ディスクを破壊することができる。
【０１０１】
一方、消去方法として簡易消去方法が選択された場合を以下に示す。
【０１０２】
消去方法が簡易消去モードであった場合（ステップＢ２，Ｂ３’）、メモリ部１１０内に格納された動作パラメータを基に指定された電圧で光ビームスポット部１００の出力を開始する（ステップＢ４’）。
【０１０３】
光ビームスポットを使用した光ディスクメディア  データ消去装置１０は、光ビーム駆動部１０６により光ビームスポット部１００を光ディスクメディアの最内周位置から最外周へ、メモリ部１１０内に格納された移動速度（一例として１０秒／最内周−最外周間移動時間）で移動する（ステップＢ５’）（動作の一例として図４−（ａ）を示す）。
【０１０４】
光ビームスポットを使用した光ディスクメディア  データ消去装置１０は、光ビームスポット部１００より光ビームが出力されている間、温度センサ部１１６により、光ビーム駆動部１０６に追従して光ディスクメディア表面の温度を継続測定し、メディア表面の温度を監視し、表面温度が設定温度より高温になった場合は、光ビーム出力制御部１０５により光ビームスポット部１００の出力を落とし、逆に表面温度が低温となった場合は、光ビーム出力制御部１０５により光ビームスポット部１００の出力を上げて、一定時間内（一例として１０秒以内）に表面温度を一定に保つ（ステップＢ６，ステップＢ７）。
【０１０５】
光ビームスポットを使用した光ディスクメディア  データ消去装置１０は、一定時間内に光ディスクメディアの温度が指定温度に戻らない場合、光ビーム出力制御部１０５により光ビームの出力を停止し、最後に動作モード表示部１１４へ動作結果（一例として、“温度異常”）を表示後に、光ディスクメディアをメディア格納部１０２によりメディア格納部１０２からメディア投入口１０１へ移動する（ステップＢ８）。
【０１０６】
光ビームスポットを使用した光ディスクメディア  データ消去装置１０は、光ビームスポット部１００が、位置センサ１０７により光ディスクメディアの最外周位置へ移動を完了したことを検知すると（ステップＢ９’）、メモリ部１１０内に格納された回転角度（一例として８度）分、光ディスクメディアを回転させる（ステップＢ１０’）（動作の一例として図４−（ｂ）を示す）。
【０１０７】
光ビームスポットを使用した光ディスクメディア  データ消去装置１０は、次に光ビーム駆動部１０６により光ビームスポット部１００を光ディスクメディアの最外周位置から最内周へ、メモリ部１１０内に格納された移動速度で移動する（ステップＢ１１’）（動作の一例として図４−（ｃ）を示す）。光ビームスポットを使用した光ディスクメディア  データ消去装置１０は、光ビームスポット部１００が、位置センサ１０７により光ディスクメディアの最内周位置へ移動を完了したことを検知すると（ステップＢ１２’）、メモリ部１１０内に格納された回転角度（一例として簡易消去モードでは５２度）分、光ディスクメディアを回転させる（ステップＢ１３’）（動作の一例として図４−（ｄ）を表示する）。ここで、５２度とすることで、光ディスクメディアに６本の照射線を設けることとなり短時間で照射を完了することができる。誤り率では１フレームに２バイト以上の誤りがあれば訂正不能となるため本面積の６％以上の読み取り不能部があれば再生できなくなる。従って、回転角度５２度に１個の割合であれば十分データ再生を防止することができる。
【０１０８】
光ビームスポットを使用した光ディスクメディア  データ消去装置１０は、ステップＢ５’からステップＢ１０’をメディアが１回転するまで繰り返した後（ステップＢ１４’）、光ビームスポット部１００の出力を停止し、最後に動作モード表示部１１４へ動作結果（一例として、“簡易消去完了”）を表示後に、光ディスクメディアをメディア格納部１０２によりメディア格納部１０２からメディア投入口１０１へ移動する（ステップＢ１５’）。図６は、簡易消去モードで消去時の光ディスクメディアの一例を示す。ここで、指示番号１１８が光ディスクメディアであり、１２０が照射部を示し、１２２が未照射部を示す。
【０１０９】
以上のように本実施例では加熱中ディスクは回転せず加熱点を光ディスクの中心から放射状に外周部分まで移動させるラジアルスキャン（ＲａｄｉａｌＳｃａｎ）という方式を考案し採用したので、回転速度を変化させＣＬＶの機構としなければならない点と内周部分に熱がたまり致命的な変形を起こすことを防ぐことが可能である。
【０１１０】
また、これらの実施例においては最初の往復時に行う加熱が次からの予備加熱として利用できるため特別な機構を持たずに予備加熱を行うことが可能となる。
【０１１１】
さらに、本実施例では狭い面積をオーバーラップしながらスキャンしていくため熱の拡散が少なく熱効率が非常によくなる。
【０１１２】
加えて常時回転しないためディスクの反対側への熱伝導は起こりにくくディスク全体が一度に変形を起こす事がない。その場合でも、変形は加熱された放射状直線にのみ起こるが順次送られていくため次第に冷却していき致命的な変形までには至らないという効果を有する。
【０１１３】
次に、ラジアルスキャンのステップ間隔を広げることで１枚当たりのスキャン回数を減らし簡易型の消去方法を採用することも可能である。さらに、スキャン後に放射状の変形が起こるため、消去されたディスクと通常ディスクとの差異が視覚的にもわかりやすい。この簡易型でも記録データの連続性を破壊するため十分な秘匿性が得られる。なぜならば、円周方向にデータを連続させないためである。
【０１１４】
最後に加熱点が常に同じ速度で狭い範囲を移動する方式のためシステムとして制御が単純であり動作の安定性が高い。
【０１１５】
本実施例では集光点で約５００℃〜８００℃の光ビームにて加熱を行いディスク内部の色素層やディスク基盤を直接破壊する。
【０１１６】
なお、本実施例において示した角度８度並びに５２度は、あくまでも本実施例におけるビームスポットの大きさによって定まる値であり、これらの角度に限定されるものではない。
【産業上の利用可能性】
【０１１７】
本発明の実施により、従来の光ディスクの破棄時に問題となったデータセキュリティを向上させることが実現されるとともに様々な要請に対応することが可能である。
【図面の簡単な説明】
【０１１８】
【図１】本発明の実施例を説明するための光ディスクメディアのデータ消去装置のブロック図である。
【図２】本発明の実施例を説明するための光ディスクメディアのデータ消去方法のフローチャートである。
【図３】本発明の実施例を説明するための光ディスクメディアのデータ消去方法のフローチャートである。
【図４】本発明の実施例を説明するための光ディスクメディアのデータ除去される光ディスクメディアの動作状態図であり、（ａ）内周から外周への半径方向の移動、（ｂ）回転移動、（ｃ）外周から内周への半径方向の移動、（ｄ）回転移動を示す。
【図５】本発明の実施例を説明するための光ディスクメディアのデータ除去方法における完全消去モードによって消去された光ディスクメディアの外観図である。
【図６】本発明の実施例を説明するための光ディスクメディアのデータ除去方法における簡易消去モードによって消去された光ディスクメディアの外観図である。
【符号の説明】
【０１１９】
１０  光ディスクメディア  データ消去装置
１２  筐体
１００  光ビームスポット部
１０１  メディア投入口
１０２  メディア格納部
１０３  メディア回転部
１０４  メディア回転制御部
１０５  光ビーム出力制御部
１０６  光ビーム駆動部
１０７  位置センサ部
１０８  光ビーム駆動制御部
１０９  ＣＰＵ
１１０  メモリ部
１１１  動作モードＤＢ
１１２  スタートＳＷ
１１３  動作モード選択ＳＷ
１１４  動作モード表示部
１１５  電源部
１１６  温度センサ部
１１８  光ディスクメディア
１２０  照射部
１２２  未照射部
【図１】
2008243242.tif 000004
【図２】
2008243242.tif 000005
【図３】
2008243242.tif 000006
【図４】
2008243242.tif 000007
【図５】
2008243242.tif 000008
【図６】
2008243242.tif 000009